(57)【特許請求の範囲】
【請求項１】
開けた戸が当るように床付けされた筒状の戸当り部材に係止部材を回動自在に取付け、この係止部材の先端側を戸に付けられた受け具へ掛け外しする戸当りのストッパー機構であって、
上記戸当り部材の上部には上記戸の開き時の受け具に当る位置に緩衝リングを設けるとともに、戸当り部材を床に固着し、戸当り部材の内側には上記係止部材を上下の方向に回動させる操作部材を上下動可能に嵌合し、この操作部材の下部には、操作部材の上部を上記戸当り部材の上端より突出させるように付勢するばねを配置する一方、上記係止部材の中間部を内側に折り曲げて戸当り部材の周壁に形成した長孔に回動自在に貫通させ、貫通した部位を操作部材の側面に開口するように形成した凹部内でさらに係止部材の先端側と反対側に折り曲げることにより形成した短レバーを、上記凹部に係合可能に配置し、操作部材の上部に下動力を加えることにより操作部材を下降させたときに上記凹部で係止部材の短レバーを押し下げて係止部材の先端を上方へ回動させ、下動力を除くことにより操作部材が上記ばねにより上昇するとともに係止部材の先端が重力で下方へ回動するようにしたことを特徴とする戸当りのストッパー機構。
【発明の詳細な説明】
【０００１】
【発明の属する技術分野】
本発明は戸当りのストッパー機能、詳しくは足先で操作できる戸当りのストッパー機構に関する。
【０００２】
【従来の技術】
従来、戸当りのストッパー機構として、巾木付けのものは公知であり、このものは図５に示すように巾木１９に取付けられた戸当り部材２０に回動自在に係止部材２１を取付け、この係止部材２１を戸２２に付けられる受け具２３に掛け外ししたもので、係止部材２１を受け具２３に掛けた状態では戸が風にあおられてもて閉まらない確実な戸のストップができるものであった。
【０００３】
【発明か解決しようとする課題】
しかしながら、前記ストッパー機構の係止部材は手で掛け外しをするものであり、掛け外しの都度、屈み込んで手により係止部材を掴み、これを受け具へ掛けたり外したりする操作を行わなければならない甚だ不便なものであつた。
【０００４】
本発明は上記欠点を解決し、立ったままの足先操作で係止部材を受け具に掛け外しすることができる至って便利な戸当りのストッパー機能を提供することをその課題とする。
【０００５】
【課題を解決するための手段】
前記課題を解決するための手段として、本発明に係る戸当りストッパー機構は、開けた戸が当るように床付けされた筒状の戸当り部材に係止部材を回動自在に取付け、この係止部材の先端側を戸に付けられた受け具へ掛け外しする戸当りのストッパー機構であって、上記戸当り部材の上部には上記戸の開き時の受け具に当る位置に緩衝リングを設けるとともに、戸当り部材を床に固着し、戸当り部材の内側には上記係止部材を上下の方向に回動させる操作部材を上下動可能に嵌合し、この操作部材の下部には、操作部材の上部を上記戸当り部材の上端より突出させるように付勢するばねを配置する一方、上記係止部材の中間部を内側に折り曲げて戸当り部材の周壁に形成した長孔に回動自在に貫通させ、貫通した部位を操作部材の側面に開口するように形成した凹部内でさらに係止部材の先端側と反対側に折り曲げることにより形成した短レバーを、上記凹部に係合可能に配置し、操作部材の上部に下動力を加えることにより操作部材を下降させたときに上記凹部で係止部材の短レバーを押し下げて係止部材の先端を上方へ回動させ、下動力を除くことにより操作部材が上記ばねにより上昇するとともに係止部材の先端が重力で下方へ回動するようにしたことを特徴とする。
【０００６】
【発明の実施の形態】
以下、図面によって本発明の実施の形態の一例について説明する。
【０００７】
図１〜図４において、符号１は本発明に係る戸当りのストッパー機構を示し、この戸当りのストッパー機構１は、開けた戸２が当るように床３を取付けた戸当り部材４と、この戸当り部材４へ回動自在に取付けられて、戸２に付けられた受け具５へ掛け外しされる係止部材６と、戸当り部材４に嵌合して係止部材６に上下方向の回動運動を起こさせる操作部材７と、この操作部材７を上部が戸当り部材７より突出するように付勢させるばね８とによって構成される。
【０００８】
戸当り部材４は、図２、図３に示すように筒状の上部４ａと、下部４ｂとに分割形成されて、接合螺環９により結合される。そして、下部４ｂをねじ等の固定手段（図面省略）により床３ヘ固着され、上部４ａの上端には受け具５の当りを和らげるゴム等の緩衝リング１０が取付けられ、緩衝リング１０の下側の両周壁には、係止部材６の後記する枢軸部を係合させる上下方向に長い孔１１が下方へ開口するように設けられる。
【０００９】
係止部材６は、戸当り部材４に接触することなくその外側を上下へ回動させるため、図４に示すようなループ状に形成されて、戸当り部材４の孔１１に係合する部分は直線をなす枢軸部６ａとなし、枢軸部６ａの巾方向の中央部には操作部材７に作用される短レバー６ｂを係止部材６とは反対の方向へ突出させてあり、前記枢軸部６ａは接合螺環９によって孔１１の上端に保持されている。
【００１０】
操作部材７は、図４に示すように円形に形成されて筒状の戸当り部材４の内へ上下動可能に嵌合され、上部２には図２、図３のように踏部１２を着脱可能に取付けられ、下部には帽体１２が操作部材６の上動により戸当り部材４より突出されると、戸当り部材４の内周下部に設けられた段部１３へ係合して、操作部材６を停止させる止鍔１４を設けられ、中央部には係止部材６の枢軸部６ａを容入させる凹部１５を操作部材７の上下動の範囲に相当する長さに切込加工により形成されて、該凹部１５の上部の一側には短レバー６ｂに作用する抑え縁１６を設けられている。
【００１１】
ばね８は、コイル状に形成された圧縮ばねを用いて、図２、図３に示すように下部を戸当り部材４の下部４ｂに形成されたばね受溝１７へ納め、上部を操作部材７の下部に形成されたばね受凹部１８へ納めることにより、ばね８の伸張により操作部材７は上部の帽体１２を戸当り部材４より突出させる上動運動を起こさせるようにし、操作部材７の帽体１２が抑えられるときは、収縮して操作部材７の上部の帽体１２を戸当り部材４に入り込ませ、抑え力の除去と共に操作部材７を上動させる付勢が行なわれるようにする。
【００１２】
前述のように構成される戸当りのストッパー機構１は、戸２を開けてストップさせるときは、図３に示すように戸当り部材４より突出している操作部材７の帽体１２をばね８に抗して踏み下げると、操作部材７は下降して抑え突起１６によって係止部材６の短レバー６ｂを抑える。このため図３において鎖線で示すように下方に回動して戸当り部材４に支持されていた係止部材６が、図２に示すように上方へ回動され、戸２に付けられた受け具５よりも上方に位置する。そこで、戸２を開けて受け具５が戸当り部材４の緩衝リング１０に当ったとき、帽体１２から足先を離すばね８の付勢によって操作部材７が上動され、抑え突起１６を係止部材６の短レバー６ｂから逃がすため、係止部材６は下方へ重力により回動されて図３において実線で示すように受け具５へ係合し、戸２が風にあおられることがあって閉じさせないように戸２を確実にストップさせる。
【００１３】
しかし、戸２を閉めるときは、操作部材７の帽体１２をばね８に抗して足先により踏み下げると、操作部材７が下動されて抑え突起１６により係止部材６の短レバー６ｂを抑える。このため、係止部材６は上方へ回動されて戸２に付けられた受け具５から外れる。そこで、戸２を閉じて帽体１２から足先を離せば、操作部材７はばね８により上動されて抑え突起１６を係止部材６の短レバー６ｂから逃がすため、係止部材６は重力によって下方へ回動され、図３に鎖線で示す位置に停止する。
【００１４】
【発明の効果】
前述した通り、本発明に係る戸当りのストッパー機構は、戸当り部材から突出する操作部材の上部を踏むと操作部材が下動され、係止部材を戸に付けられた受け具より上方へ回動される。そこで、戸を開けて受け具が戸当り部材に当ったとき、操作部材より足を離すと操作部材はばねにより上動され、係止部材を下方へ回動させるため、係止部材を受け具に掛かって風にあおられても戸が閉じないように確実な戸のストップを行い、再び、操作部材の上部を踏むと操作部材が下動されて係止部材を上方へ回動させ、受け具から係止部材を外して戸のストップを解くもので、ストップ及びその解除を足先による操作で確実に素早く行える。このため、屈み込んで手により係止部材を受け具へ掛け外しした巾木付けの戸当りのストッパー機構に比べ著しく便利性が向上して、労力負担も少なくなり、操作時間の短縮も図れるものである。
【図面の簡単な説明】
【図１】本発明に係る戸当りのストッパー機構の使用状態を示す斜視図
【図２】前記ストッパー機構の係止部材が上方へ回動された状態を示す縦断正面図
【図３】前記ストッパー機構の係止部材が受け具に掛かった状態及び下方へ回動された状態を示す縦断正面図
【図４】図２のＸ−Ｘに示す横断面平面図
【図５】従来の巾木付け戸当りのストッパー機構を示す斜視図。
【符号の説明】
１  戸当りのストッパー機構
２  戸
３  床
４  戸当り部材
６  係止部材
７  操作部材
８  ばね
【図１】
0004465101.tif 000002
【図２】
0004465101.tif 000003
【図３】
0004465101.tif 000004
【図４】
0004465101.tif 000005
【図５】
0004465101.tif 000006